(57)【特許請求の範囲】
【請求項１】
本体へ挿脱される記憶媒体に接続される本体側のコネクタを柔軟な導体を介して本体側に接続すると共に、前記本体の側に前記挿脱方向に対して傾斜した第１の傾斜面を有する位置決め部材を設け、前記本体側のコネクタに前記第１の傾斜面と面接触する第２の傾斜面を設け、前記記憶媒体が本体に装着されるときに前記記憶媒体が前記本体側のコネクタの第２の接触面が前記第１の接触面と面接触状態に圧接するよう前記前記本体側のコネクタを押圧し、前記憶媒体を本体に押し込む力により前記本体側のコネクタと記憶媒体側のコネクタとが嵌合結合されるように構成した本体へ挿脱される記憶媒体の本体への電気接続構造。
【請求項２】
前記記憶媒体が本体から取出されるときに前記本体側のコネクタが本体側の部材に係止され記憶媒体側のコネクタから離されるように構成した請求項１の本体へ挿脱される記憶媒体の本体への電気接続構造。
【請求項３】
前記記憶媒体と本体との間にクリック機構を設け、前記記憶媒体の本体への挿入動作が完了した後にクリック機構により前記第１の傾斜面と面と第２の傾斜面とが離されるように構成した請求項１または２の本体へ挿脱される記憶媒体の本体への電気接続構
【請求項４】
前記記憶媒体がＨＤＤである請求項１から３のいずれかに記載した本体へ挿脱される記憶媒体の本体への電気接続構造。
【発明の詳細な説明】
【０００１】
【発明の属する技術分野】
この発明は本体へ挿脱される記憶媒体（記憶媒体記録再生装置を含む）の本体への電気接続構造に係わり、特に、記憶媒体の振動により電気接続部に不具合の生じない電気接続構造に関する。
【０００２】
【従来の技術】
従来、ＨＤＤ（ハードディスクドライブ）等の記憶媒体を電子機器本体に装着して記憶媒体のデータ（音楽や映像等）を再生し、または記憶媒体にデータを記録することが行われている。
【０００３】
図９および図１０にそのようなＨＤＤの装着機構を示す。図９および図１０において、接続用の端子９ａを備えたＨＤＤ９は電子機器本体８の挿入口８ａから矢印方向に挿入される。
【０００４】
電子機器本体８の挿入口８ａ内部には板ばね接点１０が設けられており、ＨＤＤ９が挿入口８ａから電子機器本体８内に装着されると、端子９ａと板ばね接点１０が接触してＨＤＤ９が電子機器本体８に電気的に接続されＨＤＤ９に電源が供給され、またＨＤＤ９と電子機器本体８との通信が可能となる。
【０００５】
図１１に示す従来の例ではＨＤＤ１１には長穴形状のコネクター接点１１ａが設けられており、電子機器本体には針状端子１２ａを有するコネクター１２が設けられており、ＨＤＤ１１が矢印方向に電子機器本体内に装着されると、コネクター１２の凹部とＨＤＤ１１の凸部が嵌合して針状端子１２ａが弾性体のコネクター接点１１ａに刺さりＨＤＤ１１が電子機器本体に電気的に接続される。
【０００６】
【発明が解決しようとする課題】
電子機器本体に記憶媒体を装着する場合、記憶媒体が振動により動くと嵌合部に応力が発生する。記憶媒体がメモリ等で軽量の場合は、振動により発生する応力が小さいので、電気的な接続部を破損することはない。また、記憶媒体の外形を保持することにより振動で発生する応力を軽減する設計も容易である。
【０００７】
しかしながらＨＤＤは従来のメモリ等の記憶媒体と比べて重く、上記した従来の図１１に示す電気接続構造ではＨＤＤおよび本体の夫々に固定された電気的接続部が嵌合しているため、ＨＤＤが振動等で動いたときに電気的接続部を破損する恐れがある。
【０００８】
また、ＨＤＤの外形を補助的に保持することによって発生応力を軽減しようとすると、大きな保持力を持たせねばならず、その保持力に抗して挿入・排出するか、保持力を解除する構造をもたせねばならず機構が複雑となるという問題があった。
【０００９】
図９および図１０に示す電気接続構造においても、軽量な記憶媒体では外形の保持により容易に接点間の相対位置を一定に保つようにすることができるが、重い記憶媒体では振動等により記憶媒体が動き接点間の相対位置を一定に保つことができず、接触不良やショートを生じる危険性が大きい。
【００１０】
この場合も記憶媒体が動かないように保持力を持たせようとすると、大きい保持力に抗して挿入・排出するか、保持力を解除する構造をもたせねばならず機構が複雑となるという問題があった。
【００１１】
この発明は上記した点に鑑みてなされたものであって、その目的とするところは、記憶媒体に対して大きい保持力で保持しなくても、電気的接続部が破損することなく、また、接触不良やショートを生じる危険性のない記憶媒体の本体への電気接続構造を提供することにある。
【００１２】
【課題を解決するための手段】
この発明の本体へ挿脱される記憶媒体の本体への電気接続構造は、本体へ挿脱される記憶媒体に接続される本体側のコネクタを柔軟な導体を介して本体側に接続すると共に、前記本体の側に前記挿脱方向に対して傾斜した第１の傾斜面を有する位置決め部材を設け、前記本体側のコネクタに前記第１の傾斜面と面接触する第２の傾斜面を設け、前記記憶媒体が本体に装着されるときに前記記憶媒体が前記本体側のコネクタの第２の接触面が前記第１の接触面と面接触状態に圧接するよう前記前記本体側のコネクタを押圧し、前記憶媒体を本体に押し込む力により前記本体側のコネクタと記憶媒体側のコネクタとが嵌合結合されるように構成したものである。
【００１４】
また、前記電気接続構造において、前記記憶媒体が本体から取出されるときに前記本体側のコネクタが本体側の部材に係止され記憶媒体側のコネクタから離されるように構成したものである。
【００１５】
また、前記各電気接続構造において、前記記憶媒体と本体との間にクリック機構を設け、前記記憶媒体の本体への挿入動作が完了した後にクリック機構により前記第１の傾斜面と面と第２の傾斜面とが離されるように構成したものである。
【００１６】
また、前記各電気接続構造において、前記記憶媒体をＨＤＤとしたものである。
【００１７】
【発明の実施の形態】
この発明の実施例であるＨＤＤの電子機器本体への電気接続構造を図面に基づいて説明する。図１〜図４はこの発明の実施例であるＨＤＤの電子機器本体への電気接続構造を示す断面図である。
【００１８】
図１に示す電子機器本体１にはユニット構造となったＨＤＤ２を挿入するためのＨＤＤ挿入口１ａがあり、その奥にコネクター本体３が柔軟なリード線４により吊り下げられている。コネクター本体３の奥側には電子機器本体１に設けられた嵌合凹部１ｂと嵌合して位置決めされる嵌合凸部３ｂが形成されている。
【００１９】
また、嵌合凹部１ｂに嵌合凸部３ｂが嵌合してコネクター本体３が位置決めされた状態でさらに、ＨＤＤ２の嵌合凹部２ａと嵌合してＨＤＤ２を位置決めする嵌合凸部３ａがコネクター本体３の前側に設けられて入る。ＨＤＤ２が電子機器本体１に装着されて記憶媒体のデータ（音楽や映像等）を再生し、または記憶媒体にデータを記録することは従来の例と同様である。
【００２０】
ＨＤＤ２が矢印の方向に挿入され嵌合凸部３ａで位置決めされた状態でコネクター本体３に設けられた端子３ｃがＨＤＤ２に設けられたコネクター２ｂと嵌合して端子３ｃがコネクター２ｂに接続される。すなわち、ＨＤＤ２はコネクター２ｂ、端子３ｃおよびリード線４により本体の基板と電気的に接続される。図２にはコネクター２ｂと端子３ｃが接続されるときの状態が示されて入る。
【００２１】
ＨＤＤ２と本体との間には図示していない板ばねが凹部に嵌合するクリック機構が設けられており、ＨＤＤ２は図２に示す位置から図３に示す位置に戻されて安定した状態に支持される。このときコネクター本体３は電子機器本体１の剛体部から離れた状態で柔軟性のリード線４で電子機器本体１に接続されている。従って図３に示すように前後上下方向の矢印の方向にＨＤＤ２が動いてもコネクター本体３もそれに追従して動き端子３ｃとコネクター２ｂの嵌合部が応力により破損することがない。さらに、接触不良やショートが発生することもない。
【００２２】
ＨＤＤ２を取出すときは図４の矢印で示すようにＨＤＤ２を電子機器本体１から引き抜くと、コネクター本体３は電子機器本体１の段差１ｃに係止されてＨＤＤ２から離される。
【００２３】
実施例は以上のように構成されているが、発明はこれに限られず、例えば、電気接続部は汎用のコネクタをＨＤＤ側と本体側に取り付けるようにしてもよい。
【００２４】
図５〜図８はこの発明の参考例であるＨＤＤの電子機器本体への電気接続構造を示す断面図である。図５に示す電子機器本体５にはＨＤＤ６を挿入するためのＨＤＤ挿入口があり、その奥に弾性針状でＺ形に曲げられた弾性端子７、７…が複数紙面垂直方向に配列されている。
【００２５】
ユニット構造となったＨＤＤ６が電子機器本体５に装着されて記憶媒体のデータ（音楽や映像等）を再生し、または記憶媒体にデータを記録することは従来の例と同様である。
【００２６】
ＨＤＤ６が矢印の方向に挿入されると、弾性端子７、７…の先端がＨＤＤ６のコネクター６ａの嵌合穴に案内されてコネクター６ａに嵌合してＨＤＤ６はコネクター６ａおよび弾性端子７を介して本体の基板に接続される。図６にはコネクター６ａと弾性端子７が接続されるときの状態が示されて入る。このとき、弾性端子７の折り曲げ凸部が本体の剛体部に圧接されて弾性端子７がコネクター６ａの弾力に抗してコネクター６ａに挿入される。
【００２７】
ＨＤＤ６と本体との間には図示していない板ばねが凹部に嵌合するクリック機構が設けられており、ＨＤＤ６は図６に示す位置から図７に示す位置に戻されて安定した状態に支持される。そして、図７に示すように前後上下方向の矢印の方向にＨＤＤ６が動いても弾性端子７もそれに追従して円弧状の矢印に示すように弾性変形し弾性端子７とコネクター６ａの嵌合部が応力により破損することがない。さらに、接触不良やショートが発生することもない。
【００２８】
ＨＤＤ６を取出すときは図８の矢印で示すようにＨＤＤ６を電子機器本体５から引き抜くと、弾性端子７は弾力により変形するがＨＤＤ６から離すことができる。なお、弾性端子７を本体５の前側段差に当接部させてＨＤＤ６を引き出すときの弾性端子７の変形を制限するようにしてもよい。
【００２９】
実施例ではＨＤＤの電子機器本体への電気接続構造について説明したが、この発明をＨＤＤ以外の記憶媒体と電子機器本体への電気接続構造に適用することもできる。また、実施例では手動で記憶媒体を本体に装着したがローディング機構により自動的に挿脱するようにしてもよい。
【００３０】
【発明の効果】
この発明の記憶媒体と電子機器本体への電気接続構造によれば、軽量の電気接点が柔軟構造を介して支持されているために記憶媒体が本体と相対的に振動しても電気接点に大きい応力が発生せず破損することがない。さらに、接触不良やショートが発生することもない。
【００３１】
また、記憶媒体を記憶媒体に対して大きい保持力で保持しなくてもよいため、保持力を解除するための機構が必要なく、しかも、小さい力で記憶媒体を本体から挿脱でき機構を簡単にすることができる。
【図面の簡単な説明】
【図１】  この発明の実施例であるＨＤＤの電子機器本体への電気接続構造を示す断面図である。
【図２】同電気接続構造の他の状態を示す断面図である。
【図３】同電気接続構造のさらに他の状態を示す断面図である。
【図４】同電気接続構造のさらに他の状態を示す断面図である。
【図５】  この発明の実施例であるＨＤＤの電子機器本体への電気接続構造を示す断面図である。
【図６】同電気接続構造の他の状態を示す断面図である。
【図７】同電気接続構造のさらに他の状態を示す断面図である。
【図８】同電気接続構造のさらに他の状態を示す断面図である。
【図９】従来のＨＤＤの電子機器本体への電気接続構造の例を示す斜視図である。
【図１０】同電子機器本体への電気接続構造を示す断面図である。
【図１１】従来のＨＤＤの電子機器本体への電気接続構造の他の例を示す断面図である。
【符号の説明】
１  電子機器本体、１ａ  ＨＤＤ挿入口、１ｂ  嵌合凹部、１ｃ  段差
２  ＨＤＤ、２ａ  嵌合凹部、２ｂ  コネクター
３  コネクター本体、３ａ、３ｂ  嵌合凸部、３ｃ  端子
４  リード線
５  電子機器本体、５ａ  ＨＤＤ挿入口
６  ＨＤＤ、６ａ  コネクター
７  弾性端子
８  電子機器本体、８ａ  ＨＤＤ挿入口
９  ＨＤＤ、９ａ  端子
１０  板ばね接点
１１  ＨＤＤ、１１ａ  コネクター接点
１２  コネクター、１２ａ  端子
【図１】
0003919494.tif 000002
【図２】
0003919494.tif 000003
【図３】
0003919494.tif 000004
【図４】
0003919494.tif 000005
【図５】
0003919494.tif 000006
【図６】
0003919494.tif 000007
【図７】
0003919494.tif 000008
【図８】
0003919494.tif 000009
【図９】
0003919494.tif 000010
【図１０】
0003919494.tif 000011
【図１１】
0003919494.tif 000012